(57)【要約】      （修正有）【課題】一台の孔開けパンチで異なるピッチの孔を穿孔することができる、構造が簡単でかつ操作も簡単な孔開けパンチを提供する。【解決手段】孔を開ける用紙を載せる用紙載せ台１の一端に用紙に孔を開ける孔開け部２が設けられ、孔開け部２は、対向する側板３の間にスライド部材５が上下方向にスライド可能に支持され、スライド部材５には水平方向に間隔をおいて一対の刃トレイ支持開口部が設けられる。刃トレイ支持開口部の一方には、刃パイプ１３を支持するための一つの孔が設けられた固定側刃トレイ１１が挿入され、刃トレイ支持開口部の他方には、異なるピッチに合わせて刃パイプ１３を入れ替えて支持する二つの孔が設けられているピッチ変更側刃トレイ１２が挿入されている。【選択図】図１
0003183439.tif 000002
【実用新案登録請求の範囲】
【請求項１】
孔を開ける用紙を載せる用紙載せ台の一端に用紙に孔を開ける孔開け部が設けられている、異なるピッチの孔を開けることが可能な孔開けパンチにおいて、
前記孔開け部は、対向する側板の間にスライド部材が上下方向にスライド可能に支持され、
前記スライド部材には水平方向に間隔をおいて一対の刃トレイ支持開口部が設けられ、
前記刃トレイ支持開口部の一方には、刃パイプを支持するための一つの孔が設けられた固定側刃トレイが挿入され、
前記刃トレイ支持開口部の他方には、異なるピッチに合わせて刃パイプを入れ替えて支持する二つの孔が設けられているピッチ変更側刃トレイが挿入されていることを特徴とする孔開けパンチ。
【請求項２】
前記固定側刃トレイ及び前記ピッチ変更側刃トレイには、出没する抜け止めピンが設けられていることを特徴とする請求項１記載の孔開けパンチ。
【考案の詳細な説明】
【技術分野】
【０００１】
本考案は、用紙に孔を開ける孔開けパンチに関し、特にピッチが異なる孔を開けることができる孔開けパンチに関する。
【背景技術】
【０００２】
用紙に孔を開けて綴り具に綴じることが行われているが、用紙の孔開けには孔開けパンチが利用されている。通常、孔開けパンチは、二つの孔を決まったピッチで穿孔する２穴の孔開けパンチである。ところが、二つの孔のピッチは、例えば、図６（ａ）に示すように、Ａ４用紙では８０ｍｍピッチ、あるいは図６（ｂ）に示すように、伝票用紙では６３．５ｍｍ（２．５インチ）ピッチと、用紙の種類によって異なっており、そのため、異なるピッチ毎に専用の孔開けパンチを用意しなければならないという問題がある。
【０００３】
そこで、異なる孔のピッチ毎に専用の孔開けパンチを用意することなく、一台で異なる二つのピッチの孔を穿孔することができる孔開けパンチが提案されている（特許文献1、２参照）。
【０００４】
前記特許文献1に記載された孔開けパンチは、基台に穿孔操作を行うための穿孔操作部を配設するとともに、穿孔操作部に穿孔刃で穿孔するための複数の穿孔ユニットを配設し、基台に配設したガイド部材に各穿孔ユニットを左右にスライド自在に配設したもので、ガイド部材に沿って穿孔ユニットをスライドさせることにより異なるピッチに設定して穿孔刃により孔を開けるものである。
【０００５】
また、前記特許文献２に記載された孔開けパンチは、異なるピッチの穿孔位置に３本の穿孔杆が配置され、穿孔杆を押し下げる切替押圧部材を左右に移動させて押圧する所定のピッチの穿孔杆を選択し、切替押圧部材により選択された穿孔杆を押圧して異なるピッチの孔を開けるものである。
【先行技術文献】
【特許文献】
【０００６】
【特許文献１】実用新案登録３１２７９９８号公報
【特許文献２】実公昭４６−２７７４８号公報
【考案の概要】
【考案が解決しようとする課題】
【０００７】
前記引用文献１に記載されている孔開けパンチは、ガイド部材に沿って穿孔ユニットを摺動させる構造であり、また、前記引用文献２に記載されている孔開けパンチは、切替押圧部材を左右に操作する構造であるため、構造が複雑となり、孔開けのための操作に手間がかかるという問題があった。
【０００８】
そこで、本考案は、異なる孔のピッチに合わせて専用の孔開けパンチを用意することなく、一台で異なるピッチの孔を穿孔することができる、構造が簡単でかつ操作も簡単な孔開けパンチを提案するものである。
【課題を解決するための手段】
【０００９】
請求項１の考案は、孔を開ける用紙を載せる用紙載せ台の一端に用紙に孔を開ける孔開け部が設けられている、異なるピッチの孔を開けることが可能な孔開けパンチにおいて、前記孔開け部は、対向する側板の間にスライド部材が上下方向にスライド可能に支持され、前記スライド部材には水平方向に間隔をおいて一対の刃トレイ支持開口部が設けられ、前記刃トレイ支持開口部の一方には、刃パイプを支持するための一つの孔が設けられた固定側刃トレイが挿入され、前記刃トレイ支持開口部の他方には、異なるピッチに合わせて刃パイプを入れ替えて支持する二つの孔が設けられているピッチ変更側刃トレイが挿入されていることを特徴とする孔開けパンチである。
【００１０】
請求項２の考案は、固定側刃トレイ及びピッチ変更側刃トレイには、出没する抜け止めピンが設けられていることを特徴とする請求項１記載の孔開けパンチである。
【考案の効果】
【００１１】
本考案の孔開けパンチは、刃トレイの孔の刃パイプを入れ替えるだけの操作で、異なるピッチの孔を形成することができる。
【００１２】
本考案の孔開けパンチは、刃トレイの孔の刃パイプを入れ替える簡単な構造により、異なるピッチの孔を形成することができる。
【図面の簡単な説明】
【００１３】
【図１】本考案の孔開けパンチの斜視図である。
【図２】本考案の孔開けパンチの刃トレイの着脱についての説明図である。
【図３】本考案の孔開けパンチの刃トレイ説明図である。
【図４】本考案の孔開けパンチの孔開け部の説明図（刃パイプを上げた状態）で、（ａ）は側面からみた状態、（ｂ）は正面からみた状態を示す。
【図５】本考案の孔開けパンチの孔開け部の説明図（刃パイプを下げた状態）の説明図で、（ａ）は側面からみた状態、（ｂ）は正面からみた状態を示す。
【図６】用紙の異なるピッチを示す図である。
【考案を実施するための形態】
【００１４】
本考案の実施例について図面を参照しながら説明する。
【実施例１】
【００１５】
図１〜図５において、孔を開ける用紙を載せる用紙載せ台１の一端に用紙に孔を開ける孔開け部２が設けられている。
【００１６】
孔開け部２は、両側に対向して側板３が設けられている。側板３の下部は用紙の孔を開ける部分が入るように切り欠かれて凹み４が形成されている。
【００１７】
対向する側板２の間には、スライド部材５が上下方向にスライド可能に支持されている。スライド部材５の裏面の両側には、上下方向にラック６が設けられ、ラック６にはピニオン７が噛み合っている。
【００１８】
ピニオン７は対向する両側の側板２に回転可能に水平に軸支されている水平軸８に固定されている。側板２から出ている水平軸８の端部にはコ字型のハンドル９の端部が固定されている。ハンドル９を上下動させることにより、水平軸８が回転するとともにピニオン７が回転し、ピニオン７に噛み合うラック６が上下動してスライド部材５が上下にスライドする。
【００１９】
スライド部材５の用紙載せ台１の側には、水平方向に間隔をおいて刃トレイ支持開口部１０が設けられている。それぞれの刃トレイ支持開口部１０には、着脱自在の固定側刃トレイ１１、ピッチ変更側刃トレイ１２が支持される。
【００２０】
刃トレイ１１，１２には刃パイプ１３を入れて支持するための孔１４が形成されている。図３（ａ）に示すように、一方の固定側刃トレイ１１には一本の刃パイプ１３を入れて支持するための一つの孔１４ａが設けられている。他方のピッチ変更側刃トレイ１２には、異なる所定のピッチに合わせて刃パイプ１３を入れ替えて支持するために二つの孔１４ｂ、１４ｃが設けられ、孔１４ｂが伝票用紙の６３．５ｍｍ（２．５インチ）ピッチであり、
孔１４ｃがＡ４用紙の８０ｍｍピッチである。
【００２１】
刃トレイ１１，１２には、出没するＬ型の抜け止めピン２０が設けられており、抜け止めピン２０を引っ込めた状態で刃トレイ支持開口部１０に挿入すると抜け止めピンを出して刃トレイ１１，１２が抜けるのを防止する。また、刃トレイ１１，１２を刃トレイ支持開口部１０から取り出す際には抜け止めピン２０を引っ込めた状態で取り出す。
【００２２】
刃トレイ１１，１２が刃トレイ支持開口部１０にセットされると、孔開けの際、刃トレイ１１，１２の頂面は刃トレイ支持開口部１０の天井に接し押圧されるようになる。
【００２３】
刃パイプ１３はパンチ後のパンチカスが中空部を通って上部から排出され、孔開け部２の裏側に配置されているカス箱１５内に落ちていく。
【００２４】
スライド部材５には上下動する用紙押さえ１６が取り付けられ、一対のスプリング１７で下方へ付勢され、用紙がずれないように押さえる。
【００２５】
用紙載せ台1には、刃パイプ１３に対向する位置に、刃受け１８が取り替え可能に設置されている。また、用紙載せ台1には、用紙の位置合わせをするサイドゲージ１９がスライド可能に差し込まれている。
【００２６】
本考案の孔開けパンチの使用方法は、孔のピッチが８０ｍｍのＡ４サイズの用紙に孔を開ける場合、固定側刃トレイ１１の孔１４ａに刃パイプ１３を差し込んで一方の刃トレイ支持開口部１０に入れてセットし、ピッチ変更側刃トレイ１２には、ピッチが８０ｍｍなので外側の孔１４ｃに刃パイプ１３を差し込んで他方の刃トレイ支持開口部１０に入れてセットする。
【００２７】
それぞれの刃トレイ１１，１２のセットが完了した後、用紙載せ台１のサイドゲージ１９をＡ４に合わせてＡ４の用紙を用紙載せ台１に載せる。
【００２８】
用紙を載せた後、ハンドル９を下降させていくと、スライド部材５が下降していき、用紙押さえ１６が用紙に接し、スプリング１７で付勢されて押圧される。さらに、スライド部材５の下降により、刃パイプ１３が用紙に押し込まれて貫通して８０ｍｍのピッチの孔が形成される。
【００２９】
孔のピッチが６３．５ｍｍ（２．５インチ）の伝票用紙に孔を開ける場合、ピッチ変更側刃トレイ１２には、ピッチが６３．５ｍｍなので内側の孔１４ｂに刃パイプ１３を差し込んで刃トレイ支持開口部１０に入れてセットする。
【００３０】
次いで、ハンドル９を下降させて６３．５ｍｍのピッチの孔が形成される。
【符号の説明】
【００３１】
１：用紙載せ台
２：孔開け部
３：側板
４：凹み
５：スライド部材
６：ラック
７：ピニオン
８：水平軸
９：ハンドル
１０：刃トレイ支持開口部
１１：固定側刃トレイ
１２：ピッチ変更側刃トレイ
１３：刃パイプ
１４，１４ａ，１４ｂ，１４ｃ：孔
１５：カス箱
１６：用紙押さえ
１７：スプリング
１８：刃受け
１９：サイドゲージ
２０：抜け止めピン
【図１】
0003183439.tif 000003
【図２】
0003183439.tif 000004
【図３】
0003183439.tif 000005
【図４】
0003183439.tif 000006
【図５】
0003183439.tif 000007
【図６】
0003183439.tif 000008